(57)【要約】【課題】物品を締結するベルト状締結具の不正使用を抑止できるようにすること。【解決手段】係止部３が、前後両側壁部８ａ，８ｂを備えた第一部材４と、抜け止め用係合片１６を備えた第二部材５とに分割され、第一部材４は、前記前後両側壁部８ａ，８ｂ間の底面部のみが開放した箱型に形成され、第二部材５は、第一部材４の開放底面部７に嵌合される基板部１４から抜け止め用係合片１６が斜めに突設されると共に、この抜け止め用係合片１６の基部に近い側の基板部１４の端部から係止片１７が突設され、抜け止め用係合片１６の基部に近い側の第一部材４の前側壁部８ａには、係止片１７の係合する被係止孔９ｃが開口９ａの下側に連なるように形成され、この被係止孔９ｃに係合した係止片１７が開口９ａの下側辺を形成するように構成し、締結用ベルト部１は、係止部３の第一及び第二両部材４，５の何れか一方に連設された構成。【選択図】図１
2010105690.tif 000002
【特許請求の範囲】
【請求項１】
一側面に抜け止め用凹凸が形成された締結用ベルト部と、この締結用ベルト部の基部に連設された係止部とを備え、この係止部には、締結用ベルト部の挿通方向に適当間隔を隔てて位置すると共に締結用ベルト部が貫通する開口をそれぞれ有する前後両側壁部と、両側壁部の中間に配設されて締結用ベルト部の前記抜け止め用凹凸に係合する抜け止め用係合片が設けられたベルト状締結具であって、前記係止部が、前記前後両側壁部を備えた第一部材と、前記抜け止め用係合片を備えた第二部材とに分割され、第一部材は、前記前後両側壁部間の底面部のみが開放した箱型に形成され、第二部材は、第一部材の開放底面部に嵌合される基板部を備え、この基板部から前記抜け止め用係合片が締結用ベルト部の挿通方向に向かって斜めに突設されると共に、この抜け止め用係合片の基部に近い側の前記基板部の端部から係止片が突設され、第一部材の前記前後両側壁部の内、抜け止め用係合片の基部に近い側の前側壁部には、前記係止片の係合する被係止孔が前記開口の下側に連なるように形成され、この被係止孔に係合した前記係止片が前記開口の下側辺を形成するように構成し、締結用ベルト部は、係止部の第一及び第二両部材の何れか一方に連設されている、ベルト状締結具。
【請求項２】
第二部材の基板部には、抜け止め用係合片の基部から遠い側の端部から第一部材内に嵌合する門形部材が突設され、第一部材の前後両側壁部の開口間にわたって挿通される締結用ベルト部が前記門形部材の内側を貫通するように構成された、請求項１に記載のベルト状締結具。
【請求項３】
第一部材の開放底面部に対面する天井部には、前記門形部材が内嵌する凹溝部が設けられ、この凹溝部と前記前側壁部の開口の上側辺との間には、前後両側壁部の開口間にわたって挿通される締結用ベルト部の上面に隣接する内側面が形成され、この天井部の内側面、前記門形部材の天井側内側面、及び前後両側壁部の開口の上側辺とがほぼ面一に連続するように構成されている、請求項２に記載のベルト状締結具。
【請求項４】
第一部材の開放底面部と第二部材の基板部との嵌合部には、両部材の嵌合状態において互いに係合する被係止凹部と係止凸部とが設けられ、これら被係止凹部と係止凸部は、両部材が嵌合状態から離脱するのを防止する抜け止め形状に構成されている、請求項１又は２に記載のベルト状締結具。
【請求項５】
締結用ベルト部は、第一部材から一体に連設されている、請求項１〜３の何れか１項に記載のベルト状締結具。
【請求項６】
第一部材と第二部材との嵌合部は、第一部材の前記前側壁部の側に第二部材の抜け止め用係合片の基部が位置する向きにおいてのみ第一部材の開放底面部に第二部材の基板部が嵌合できるように前後非対称形状に構成されている、請求項５に記載のベルト状締結具。
【請求項７】
係止部の第一部材には、表示板部が一体に連設されている、請求項１〜６の何れか１項に記載のベルト状締結具。
【発明の詳細な説明】
【技術分野】
【０００１】
本発明は、物品を結束する手段として、或いは物品に商品表示タグを締結する手段として使用されるベルト状締結具に関するものである。
【背景技術】
【０００２】
この種のベルト状締結具として、特許文献１に記載されるように、一側面に抜け止め用凹凸が形成された締結用ベルト部と、この締結用ベルト部の基部に連設された係止部とを備え、この係止部には、締結用ベルト部の挿通方向に適当間隔を隔てて位置すると共に締結用ベルト部が貫通する開口をそれぞれ有する前後両側壁部と、両側壁部の中間に形成されて締結用ベルト部の前記抜け止め用凹凸に係合する抜け止め用係合片とが設けられたものが知られている。このような構成のベルト状締結具を、単に一時的に線材などを結束する手段として使用する場合は問題ないが、例えば蟹などの地域特産品に産地名やブランド名を表示するタグを取り付ける手段として使用される場合、エンドユーザーに当該商品が届くまでの間に商品から取り外されたタグ付きベルト状締結具が正規の地域特産品ではない他の商品に不正に取り付けられるのを防止できるものでなければならない。換言すれば、一旦商品に締結したならば、針金や金属片などで抜け止め用係合片を操作して、締結用ベルト部の抜け止め用凹凸から抜け止め用係合片を離間させ、係止部から締結用ベルト部を抜き取ることができないようにし、商品からこのタグ付きベルト状締結具を取り外すときは、締結用ベルト部を切断する以外に手段がないように構成しなければならない。従来は、このような課題を解決する手段として、例えば特許文献１に記載されるように、係止部に抜け止め用係合片の周囲を取り囲む周壁を設け、その周壁の前後両側壁部に締結用ベルト部が貫通する開口をそれぞれ設けるように構成して、締結使用状態においては、抜け止め用係合片の周囲を取り囲む周壁により、外部から抜け止め用係合片を操作できなくすることが考えられていた。
【特許文献１】特公平６−８８６１０号公報
【発明の開示】
【発明が解決しようとする課題】
【０００３】
しかしながら、特許文献１に記載されたような従来のベルト状締結具の構成では、ベルト状締結具を合成樹脂により一体成形しようとすると、係止部の周壁の内側に抜け止め用係合片を一体成形するために、締結用ベルト部が貫通する開口が形成される前後両側壁部の一方に、抜け止め用係合片成形用型の抜き取り用開口が必要になり、この型抜き取り用開口を通じて内部の抜け止め用係合片を操作することまで防止することができない。
【課題を解決するための手段】
【０００４】
本発明は上記のような従来の問題点を解消し得るベルト状締結具を提供することを目的とするものであって、請求項１に記載のベルト状締結具は、後述する実施形態の参照符号を付して示すと、一側面に抜け止め用凹凸６が形成された締結用ベルト部１と、この締結用ベルト部１の基部に連設された係止部３とを備え、この係止部３には、締結用ベルト部１の挿通方向に適当間隔を隔てて位置すると共に締結用ベルト部１が貫通する開口９ａ，９ｂをそれぞれ有する前後両側壁部８ａ，８ｂと、両側壁部８ａ，８ｂの中間に配設されて締結用ベルト部１の前記抜け止め用凹凸６に係合する抜け止め用係合片１６が設けられたベルト状締結具であって、前記係止部３が、前記前後両側壁部８ａ，８ｂを備えた第一部材４と、前記抜け止め用係合片１６を備えた第二部材５とに分割され、第一部材４は、前記前後両側壁部８ａ，８ｂ間の底面部のみが開放した箱型に形成され、第二部材５は、第一部材４の開放底面部７に嵌合される基板部１４を備え、この基板部１４から前記抜け止め用係合片１６が締結用ベルト部１の挿通方向に向かって斜めに突設されると共に、この抜け止め用係合片１６の基部に近い側の前記基板部１４の端部から係止片１７が突設され、第一部材４の前記前後両側壁部８ａ，８ｂの内、抜け止め用係合片１６の基部に近い側の前側壁部８ａには、前記係止片１７の係合する被係止孔９ｃが前記開口９ａの下側に連なるように形成され、この被係止孔９ｃに係合した前記係止片１７が前記開口９ａの下側辺を形成するように構成し、締結用ベルト部１は、係止部３の第一及び第二両部材４，５の何れか一方に連設された構成となっている。
【０００５】
上記の本発明を実施する場合、具体的には、請求項２に記載のように、第二部材５の基板部１４には、抜け止め用係合片１６の基部から遠い側の端部から第一部材４内に嵌合する門形部材１５を突設し、第一部材４の前後両側壁部８ａ，８ｂの開口９ａ，９ｂ間にわたって挿通される締結用ベルト部１が前記門形部材１５の内側を貫通するように構成することができる。この場合、請求項３に記載のように、第一部材４の開放底面部７に対面する天井部１１には、前記門形部材１５が内嵌する凹溝部１２を設け、この凹溝部１２と前記前側壁部８ａの開口９ａの上側辺との間には、前後両側壁部８ａ，８ｂの開口９ａ，９ｂ間にわたって挿通される締結用ベルト部１の上面に隣接する内側面１１ｂを形成し、この天井部１１の内側面１１ｂ、前記門形部材１５の天井側内側面１５ａ、及び前後両側壁部８ａ，８ｂの開口９ａ，９ｂの上側辺とがほぼ面一に連続するように構成することができる。
【０００６】
又、請求項４に記載のように、第一部材４の開放底面部７と第二部材５の基板部１４との嵌合部には、両部材４，５の嵌合状態において互いに係合する被係止凹部１３ａと係止凸部１３ｂとを設け、これら被係止凹部１３ａと係止凸部１３ｂは、両部材４，５が嵌合状態から離脱するのを防止する抜け止め形状に構成することができる。
【０００７】
締結用ベルト部１は、請求項５に記載のように、第一部材４から一体に連設することができるが、この場合、請求項６に記載のように、第一部材４と第二部材５との嵌合部は、第一部材１の前記前側壁部８ａの側に第二部材５の抜け止め用係合片１６の基部が位置する向きにおいてのみ第一部材４の開放底面部７に第二部材５の基板部１４が嵌合できるように前後非対称形状に構成することが望ましい。更に、請求項７に記載のように、係止部３の第一部材４には、表示板部２を一体に連設することができる。
【発明の効果】
【０００８】
上記請求項１に記載の本発明に係るベルト状締結具によれば、第一部材の開放底面部に第二部材の基板部を嵌合させて一体化された係止部は、前後両側壁部に締結用ベルト部を貫通させる開口が存在するだけの箱型空間内に抜け止め用係合片が収容された構造となるので、前記開口の大きさを、この開口に挿通された締結用ベルト部の周囲の隙間から内部の抜け止め用係合片を不正に操作できない程度の必要最小限の大きさに形成するだけで、締結用ベルト部で締結対象物を締結した使用状態において、係止部内部の抜け止め用係合片を外側から不正に操作して締結用ベルト部を抜き取ることが不可能な状態になる。従って、締結対象物からこのベルト状締結具を除去するときは、締結用ベルト部を切断する以外に手段はなくなり、係止部から締結用ベルト部を抜き取って不正に再使用するようなことを未然に防止することができる。即ち、締結用ベルト部を貫通させる開口とは別に、内部の抜け止め用係合片を成形するための開口などが存在する従来のものと比較して、不正な再使用の恐れが皆無のベルト状締結具を得ることができるので、このベルト状締結具の係止部に表示板部を連設するか又は、係止部や締結用ベルト部の表面を表示面に利用するなどして、産地名やブランド名を表示するタグ付きベルト状締結具として実施した場合には、このタグ付きベルト状締結具が締結された商品の産地やブランドの信憑性、信頼性を高めることができる。
【０００９】
而して、上記ベルト状締結具の使用状態において、締結用ベルト部を係止部から引き抜く方向に強く引っ張った場合、第二部材の基板部から斜めに突設されている抜け止め用係合片を長さ方向に圧縮させる力が作用し、この作用力が、第二部材の基板部の前後両端部の内、抜け止め用係合片の基部に隣接する側の端部を第一部材内から押し出すように作用することになる。従って、第一部材と第二部材との嵌合部に、両者を係合一体化する被係止凹部と係止凸部とが設けられている場合でも、前記作用力で被係止凹部と係止凸部との係合が解かれて、第一部材から第二部材が外れてしまう可能性が考えられる。
【００１０】
然るに請求項１に記載の本発明によれば、抜け止め用係合片の基部に隣接して第二部材の基板部から突設されている係止片が、第二部材の後側壁部の被係止孔に係合し、使用状態では、この係止片が締結用ベルト部と前記被係止孔の下側辺との間で挟み付けられる構造であって、前記係止片の厚みや幅を大きくすることが容易な構成であるから、第一部材と第二部材との嵌合状態を保持する手段として一般的に考えられる構成、即ち、両部材の嵌合部に被係止凹部と係止凸部とを設ける構成と比較して、上記のように仮に、使用状態において締結用ベルト部を係止部から引き抜く方向に強く引っ張った場合でも、第二部材の抜け止め用係合片の基部に隣接する側の端部が第一部材から押し出されるのを、前記係止片により強力に防止することができ、延いては、第一部材から第二部材が外れて抜け止め用係合片と締結用ベルト部との係合が解かれてしまう恐れがなくなり、先に説明したようなベルト状締結具の不正使用を確実に防止できる。
【００１１】
又、請求項２に記載の構成によれば、第二部材の基板部の前後両端部の内、前記係止片が突設されていない側の後端部を第一部材から引き出すように、器具を使用して操作しても、当該端部から突設されている門形部材の内側を締結用ベルト部が挿通しているので、当該門形部材や締結用ベルト部が破断されない限り、第一部材の基板部の当該後端部が第一部材内から引き出されるのを強力に防止することができ、ベルト状締結具の不正使用を一層確実に防止できる。この場合、請求項３に記載の構成によれば、第一部材内で締結用ベルト部が抜け止め用係合片から離れる方向に（第一部材の天井部側へ）変形するのを確実に防止できるので、係止部に対する締結用ベルト部の抜け止め効果を一層高めることができる。
【００１２】
尚、第一部材の開放底面部と第二部材の基板部との嵌合部には、両部材の嵌合深さを規制する段部を設けるだけにして、両部材の嵌合状態で両者を接着する方法で互いに結合一体化することもできるが、請求項４に記載の構成によれば、第一部材の開放底面部に対して単に第二部材の基板部を押し込んで、両部材の嵌合部における被係止凹部と係止凸部とを互いに嵌合係止させるだけで互いに結合一体化することができるので、組立てを簡単容易に行うことができる。
【００１３】
又、第一部材と第二部材の何れか一方には締結用ベルト部を連設しなければならないが、請求項５に記載のように、箱型の第一部材側に締結用ベルト部を連設することにより、任意の方向への締結用ベルト部の連設が無理なく容易に行える。この場合、第一部材に対して第二部材を嵌合させるときの前後向き（抜け止め用係合片の斜め突出方向）が締結用ベルト部の連設向きによって決まることになり、所定向きに第二部材を第一部材に嵌合させなければ使用できなくなるが、請求項６に記載の構成によれば、第二部材を第一部材に誤って逆向きに嵌合させてしまう恐れがなくなり、組立て作業が容易になる。
【００１４】
尚、本発明に係るベルト状締結具を、締結対象物の産地名やブランド名を表示するタグ付きベルト状締結具として実施する場合、係止部や締結用ベルト部の表面を産地名やブランド名の表示面に利用することができるが、請求項７に記載の構成によれば、これら産地名やブランド名の表示に特化したサイズ及びデザインの表示板部を採用することができ、しかもこの表示板部を箱型の第一部材に連設することにより、任意の方向への当該表示板部の連設が無理なく容易に行える。
【発明を実施するための最良の形態】
【００１５】
以下に本発明の具体的実施例を添付図に基づいて説明すると、図１において、１は締結用ベルト部であり、差し込み尖端部１ａとは反対側の端部には表示板部２が一体成形により連設されている。３は係止部であって、締結用ベルト部１と表示板部２との境界部一側面に設けられている。この係止部３は、締結用ベルト部１及び表示板部２に一体成形により連設された第一部材４と、この第一部材４に対して嵌合されて一体化された第二部材５とから構成されている。締結用ベルト部１には、その差し込み尖端部１ａと係止部３側の一定長さ領域を除く領域の、係止部３が連設されている側とは反対側の側面において、尖端が係止部３のある側に向いた断面鋸刃状の抜け止め用凹凸６が形成されている。
【００１６】
以下、係止部３の構成を、図１に示すベルト状締結具から係止部３のみを切り離して示す図２〜図９に基づいて説明すると、係止部３を構成する第一部材４は、底面部のみが開放した箱型のもので、その開放底面部７に対する前後両側壁部８ａ，８ｂには、締結用ベルト部１をほぼ定位置に位置決めして挿通させることができるサイズの横長矩形の開口９ａ，９ｂが設けられ、左右両側壁部１０と天井部１１の後側壁部８ｂに隣接する内側には、開放底面部７の両側から門形に連続する凹溝部１２が形成され、この凹溝部１２により開放底面部７が、凹溝部１２のある後端側が幅広の前後非対称形（凸形）に形成されている。又、前側壁部８ａの開放底面部７を形成する下端辺には、その全幅にわたって被係止凹部１３ａが形成され、当該前側壁部８ａの開口９ａには、当該開口９ａより幅広で横長矩形の被係止孔９ｃが当該開口９ａの下側に連なって形成されている。更に、天井部１１の凹溝部１２と前側壁部８ａとの間には、前記開口９ａ，９ｂの横幅より少し幅の狭い突条部１１ａが、その下側面１１ｂが開口９ａ，９ｂの上側面と面一になるように一体形成されている。尚、前記被係止凹部１３ａは、開放底面部７側の下端の凹入深さが最大で、これより天井部１１側ほど凹入深さが漸次浅くなる、断面がほぼ直角三角形の抜け止め形状に形成されている。
【００１７】
係止部３を構成する第二部材５は、第一部材４の開放底面部７に丁度内嵌する大きさ及び形状（後端部が幅広の前後非対称形）の基板部１４と、この基板部１４の幅広後端部の左右両突出部上から突設された門形部材１５と、基板部１４の前端部に近い位置から門形部材１５のある側へ斜めに突設された抜け止め用係合片１６と、この抜け止め用係合片１６の基部と基板部１４の前端との間の基板部１４の上面から前方（抜け止め用係合片１６のある側とは反対側）へ先端が直角に延出するように突設され且つ先端側ほど肉薄となるように上面が湾曲した係止片１７から構成されている。又、基板部１４の前端面には、前記第一部材４側の被係止凹部１３ａに嵌合する、断面がほぼ直角三角形の抜け止め用係止凸部１３ｂが、当該前端面の全幅にわたって突設されている。
【００１８】
抜け止め用係合片１６は、その斜め上向きに延出した先端の上面に、締結用ベルト部１における抜け止め用凹凸６に係合して当該締結用ベルト部１の抜け止めを図る、尖端が門形部材１５のある側に向いた断面鋸刃状の抜け止め用凹凸１８が形成されたものである。
【００１９】
上記係止部３の第一部材４は、図１Ａに示すように、その前側壁部８ａが締結用ベルト部１と表示板部２との間に位置すると共に、開放底面部７が締結用ベルト部１の差し込み尖端部１ａのある側に向かって開口するように、これら締結用ベルト部１と表示板部２に一体に形成されている。而して、係止部３の第二部材５は、図８及び図９に示すように、門形部材１５を第一部材４の凹溝部１２内に嵌合させると共に基板部１４を第一部材４の開放底面部７に内嵌させ、前端の抜け止め用係止凸部１３ｂを第一部材４側の被係止凹部１３ａに係合させると共に、前端から突出する係止片１７を第一部材４側の被係止孔９ｃに嵌合係止させ、第一部材４の開放底面部７を塞ぐ状態に取り付ける。この第一部材４に対する第二部材５の取り付けに際しては、図７に示すように、門形部材１５の両脚柱部を弾性に抗して抜け止め用係合片１６の側へ曲げ変形させて、当該門形部材１５の両脚柱部を第一部材４側の凹溝部１２に嵌合させると共に、前端の抜け止め用係止凸部１３ｂを第一部材４側の被係止凹部１３ａに係合させ、この状態で基板部１４を第一部材４の開放底面部７側へ押し込むことになる。
【００２０】
上記のようにして第一部材４に第二部材５を取り付けたとき、図８及び図９に示すように、第一部材４の開放底面部７が第二部材５の基板部１４で完全に塞がれ、第一部材４の周壁部の矩形枠状端面と第二部材５の基板部１４の外側面とが面一になり、門形部材１５は第一部材４の後側壁部８ｂの内側面に当接し、第一部材４の前側壁部８ａを外側から見たときに係止片１７は被係止孔９ｃを完全に塞いでその直上の開口９ａの下側辺を形成し、更に、第一部材４の前後一対の開口９ａ，９ｂの上側辺、第一部材４の天井部１１に形成されている突条部１１ａの下側面１１ｂ、及び門形部材１５の天井部の下側面１５ａが同一レベルで面一に位置するように、構成されている。このようにして第一部材４に取り付けられた第二部材５は、被係止凹部１３ａと抜け止め用係止凸部１３ｂとの係合、係止片１７と被係止孔９ｃとの係合、及び基板部１４の後端部（門形部材１５のある側）を第一部材４の外側から引き出すことができない構造であることにより、第一部材４に固定一体化された状態になり、ベルト状締結具が完成する。尚、第二部材５の基板部１４上に突設された抜け止め用係合片１６は、その抜け止め用凹凸１８を備えた先端部が、第一部材４側の前後一対の開口９ａ，９ｂの下側辺を結ぶ仮想面より当該第一部材４の天井部１１（突条部１１ａ）の側に入り込んでいる。
【００２１】
尚、図に示す第一部材４の前側壁部８ａは、後側壁部８ｂよりも板厚を２倍ほどに厚くし、係止片１７が嵌合する被係止孔９ｃの深さを深くして、係止片１７と被係止孔９ｃとの係合強度を高めている。勿論、この前側壁部８ａは、図１に示すように、表示板部２の一部分を構成させることができるので、その表面形状などは必要に応じて任意に変えることができる。
【００２２】
以上のように構成されたベルト状締結具は、例えば地域特産の蟹を、その脚をまとめた状態で締結すると共に表示板部２により産地名（ブランド名）を表示する手段として利用することができる。従って表示板部２は、図では簡略化して示しているが、実際にはこのベルト状締結具の締結対象物（地域特産の蟹）と関連し且つ人目を引くようなデザインが施されると共に、当該締結対象物の産地名やブランド名が表示されるものである。使用に際しては、締結対象物を囲繞した締結用ベルト部１の差し込み尖端部１ａを係止部３の開口９ａ，９ｂに挿通させるのであるが、このとき締結用ベルト部１の抜け止め用凹凸６を締結対象物に接する内側に位置させて、締結用ベルト部１で締結対象物を囲繞し、差し込み尖端部１ａを第一部材４の前側壁部８ａ側の開口９ａから後側壁部８ｂ側の開口９ｂに向かって挿通させる。この結果、図８及び図９に示すように、締結用ベルト部１の抜け止め用凹凸６が、係止部３内の抜け止め用係合片１６の抜け止め用凹凸１８と対接して、当該抜け止め用係合片１６を弾性に抗して基板部１４側へ少し倒伏変形させながら、抜け止め用凹凸６の各尖端の向く方向とは逆方向（抜け止め用凹凸１８の各尖端の向く方向）に相対移動することになる。
【００２３】
上記のように係止部３を挿通させた締結用ベルト部１の差し込み尖端部１ａを係止部３に対して強く引き抜き、締結用ベルト部１で締結対象物を締結することにより、このベルト状締結具による締結対象物の締結が完了するが、このとき、締結用ベルト部１の抜け止め用凹凸６に対して係止部３内の抜け止め用係合片１６の抜け止め用凹凸１８が係合し、係止部３に対して締結用ベルト部１が後退する方向に相対移動するのを阻止しているので、締結用ベルト部１による締結対象物の締結状態が保たれる。そしてこのとき、抜け止め用係合片１６は、係止部３内に完全に収容された状態で外部からは前後両開口９ａ，９ｂを通じてのみ視認できる状況にあるから、係止部３の前後両開口９ａ，９ｂとこれらを貫通している締結用ベルト部１との間の隙間が、締結用ベルト部１の円滑な挿通操作を妨げない程度の必要最小限の寸法となるように構成しておけば、係止部３の外部から針金や金属片を用いて抜け止め用係合片１６を、その抜け止め用凹凸１８が締結用ベルト部１の抜け止め用凹凸６から離間するように操作することは不可能になり、締結用ベルト部１を切断する以外に締結対象物からの取り外し方法がないベルト状締結具として活用することができる。
【００２４】
又、締結用ベルト部１に対して、係止部３への差し込み方向とは逆方向に当該係止部３から強く引き抜くように外力を作用させた場合、抜け止め用係合片１６にはその長さ方向に圧縮力が働き、この圧縮力を受ける第二部材５の基板部１４には、係止片１７を備えた前端部を第一部材４の外へ押し出す外向きの押し出し力が作用する。しかしながら、基板部１４の係止片１７を備えた前端部は、殆ど基板部１４の横幅に近い幅広で且つ肉厚の係止片１７によって第一部材４側の被係止孔９ｃと係合しており、その係合深さも、第一部材４の前側壁部８ａの厚さとほぼ同一であって、被係止凹部１３ａと抜け止め用係止凸部１３ｂとの係合深さとは比較にならないほど深いので、基板部１４の係止片１７を備えた前端部が第一部材４の外へ押し出される恐れは皆無となる。換言すれば、上記のように締結用ベルト部１を係止部３から強く引き抜くような操作では、第二部材４の基板部１４と共に抜け止め用係合片１６が第一部材４内から押し出されて、当該抜け止め用係合片１６と締結用ベルト部１との係合が外れてしまうような不都合は生じない。
【００２５】
勿論、基板部１４の後端部には、第一部材４との係合部が一切設けられていないが、仮に基板部１４の後端部を第一部材４内から引き出すような外力を作用させることができたとしても、当該基板部１４の後端部から突設されている門形部材１５が第一部材４の後側壁部８ｂに接する状態で締結用ベルト部１に被さっているので、当該門形部材１５の両脚柱部の引っ張り破断強度と締結用ベルト部１の剪断強度をもって、基板部１４の後端部が第一部材４内から引き出されるのを強力に防止することができる。
【００２６】
尚、図１０〜図１３に示す実施形態では、締結用ベルト部１は係止部３の第一部材４における後側壁部８ｂと天井部１１との境界角部から一体に連設されている。又、締結用ベルト部１は、例えば締結対象物である蟹の主脚１本のみを締結できる程度に短く構成されたもので、先端の係止部３に挿通係合させる係合領域１９と、この係合領域１９と係止部３との間の締結領域２０とから成り、係合領域１９には、その差し込み尖端部１ａを除く全領域の外側面に前記抜け止め用凹凸６が形成され、締結領域２０の内側には、締結対象物に圧接して変形可能な舌片部２１ａ，２１ｂや帯状部２１ｃなどが一体に連設され、更に係止部３の第一部材４と締結用ベルト部１の締結領域２０との間の入隅部には、両者間の角度を保持する補強板部２２が一体に形成されている。又、締結領域２０の係合領域１９に隣接する端部には、係合領域１９を係止部３内に押し込む操作を容易にするための幅広の指当て部２３が一体に形成されている。
【００２７】
この別実施形態においても、係止部３の構成は先の実施形態と同一であり、締結用ベルト部１の係合領域１９を、その差し込み尖端部１ａから係止部３の開口９ａより開口９ｂに向かって挿通させることで、締結領域２０により締結対象物を締結することができるものであるが、締結対象物が太いときは、図１２に示すように、係合領域１９の先端側一部分のみが係止部３内に入り込んで抜け止め用凹凸６が係止部３内の抜け止め用係合片１６と係合し、開口９ｂからは係合領域１９の差し込み尖端部１ａが突出しない状態で使用され、締結対象物が細いときは、図１３に示すように、係合領域１９のほぼ全域が係止部３内に入り込んで抜け止め用凹凸６が係止部３内の抜け止め用係合片１６と係合し、開口９ｂから係合領域１９の差し込み尖端部１ａが突出する状態で使用される。又、各舌片部２１ａ，２１ｂや帯状部２１ｃなどが締結対象物の太さや締結強さなどに応じて適宜変形し、締結対象物をガタつきなく安定的に締結することができるものである。
【００２８】
尚、第二部材５の係止片１７が係合する被係止孔９ｃが開口９ａと共に設けられる第一部材４の前側壁部８ａは、幅広肉厚の係止片１７の係止強度を高めるために厚く構成する必要があるが、この場合、少なくとも係止片１７が係合する被係止孔９ｃの下側辺から前側壁部８ａの端面までの領域の厚さを厚くすれば良く、従って、図１０〜図１３に示す実施形態のように、被係止孔９ｃの下側辺から天井部１１に至る領域の前側壁部８ａの板厚は、他の後側壁部８ｂ、左右両側壁部１０、及び天井部１１と同様に必要最小限に薄くすることができる。又、第一部材４の後側壁部８ｂの下端内側と第二部材５の基板部１４の後端部との間の嵌合部にも、被係止凹部１３ａと抜け止め用係止凸部１３ｂとを設けることができる。
【図面の簡単な説明】
【００２９】
【図１】Ａ図は係止部の組み立て前の状態を示すベルト状締結具の一部縦断側面図、Ｂ図は同ベルト状締結具の正面図である。
【図２】Ａ図はベルト状締結具から切り離した係止部の第一部材を示す縦断側面図、Ｂ図は同第一部材の底面図である。
【図３】同第一部材の縦断斜視図である。
【図４】Ａ図は図２ＡのＡ−Ａ線断面図、Ｂ図は図２ＡのＢ−Ｂ線断面図である。
【図５】ベルト状締結具から切り離した係止部の第二部材を示す斜視図である。
【図６】Ａ図は同第二部材の側面図、Ｂ図は同第二部材の平面図である。
【図７】第一部材に第二部材を組み付ける途中の状態を示す一部縦断側面図である。
【図８】係止部に締結用ベルト部が挿通された状態を示す縦断側面図である。
【図９】図８のＣ−Ｃ線断面図である。
【図１０】別の実施形態のベルト状締結具を係止部の組み立て前の状態で示す一部縦断側面図である。
【図１１】図１０のＤ−Ｄ線断面図である。
【図１２】図１０のベルト状締結具の使用状態を示す側面図である。
【図１３】図１０のベルト状締結具の別の使用状態を示す側面図である。
【符号の説明】
【００３０】
１    締結用ベルト部
２    表示板部
３    係止部
４    第一部材
５    第二部材
６    締結用ベルト部の抜け止め用凹凸
７    第一部材の開放底面部
８ａ，８ｂ    前後両側壁部
９ａ，９ｂ    開口
９ｃ    被係止孔
１０    第一部材の左右両側壁部
１１    第一部材の天井部
１１ａ    突条部
１１ｂ    突条部の下側面
１２    凹溝部
１３ａ    被係止凹部
１３ｂ    係止凸部
１４    基板部
１５    門形部材
１６    抜け止め用係合片
１７    係止片
１８    抜け止め用凹凸
１９    係合領域
２０    締結領域
２１ａ，２１ｂ    舌片部
２１ｃ    帯状部
２２    補強板部
２３    指当て部
【図１】
2010105690.tif 000003
【図２】
2010105690.tif 000004
【図３】
2010105690.tif 000005
【図４】
2010105690.tif 000006
【図５】
2010105690.tif 000007
【図６】
2010105690.tif 000008
【図７】
2010105690.tif 000009
【図８】
2010105690.tif 000010
【図９】
2010105690.tif 000011
【図１０】
2010105690.tif 000012
【図１１】
2010105690.tif 000013
【図１２】
2010105690.tif 000014
【図１３】
2010105690.tif 000015